(57)【特許請求の範囲】
【請求項１】
筐体と、該筐体内に配置されており、液体を貯留する貯留部と、該貯留部に貯留された液体を冷却する冷却部と、該冷却部から熱を放出させる放熱フィンと、該放熱フィンに空気を送出するファンとを備える液体サーバにおいて、
前記筐体に形成されており、上下に離間した吸気口及び排気口と、
前記吸気口及び排気口の間に配置されており、前記吸気口から排気口へ空気を案内する案内部と
を備え、
前記冷却部及び放熱フィンは前記吸気口及び排気口の間に配置されており、
前記ファンは、前記吸気口及び放熱フィンの間に配置され、前記放熱フィンに対向しており、
前記放熱フィンは上下に延びており、
前記ファンは、前記放熱フィンの吸気口側部分に対向しており、
前記案内部は、
前記放熱フィンの排気口側部分に対向した第１案内板と、
該第１案内板よりも排気口側に配置されており、前記排気口に向けて傾斜した傾斜板部を有する第２案内板と
を含み、
前記第２案内板は前記放熱フィンを挟んで前記第１案内板の反対側に配置され、
前記排気口の上側にて前記筐体と前記傾斜板部とが当接し、
前記放熱フィンの排気口側部分と、前記第２案内板における前記傾斜板部の反対側の端部とが当接し、
前記第２案内板と、前記放熱フィンの排気口側部分と、前記筐体とによって閉じた空間が形成され、該閉じた空間と外部とを連通させるように前記排気口は形成されていること
を特徴とする液体サーバ。
【請求項２】
前記筐体は前記排気口の上側にて前記筐体の内側に向けて突出した突起を有し、
前記突起と前記傾斜板部とが当接していること
を特徴とする請求項１に記載の液体サーバ。
【請求項３】
筐体と、該筐体内に配置されており、液体を貯留する貯留部と、該貯留部に貯留された液体を冷却する冷却部と、該冷却部から熱を放出させる放熱フィンと、該放熱フィンに空気を送出するファンとを備える液体サーバにおいて、
前記筐体に形成されており、上下に離間した吸気口及び排気口と、
前記吸気口及び排気口の間に配置されており、前記吸気口から排気口へ空気を案内する案内部と
を備え、
前記冷却部及び放熱フィンは前記吸気口及び排気口の間に配置されており、
前記ファンは、前記吸気口及び放熱フィンの間に配置され、前記放熱フィンに対向しており、
前記放熱フィンは上下に延びており、
前記ファンは、前記放熱フィンの吸気口側部分に対向しており、
前記案内部は、
前記放熱フィンの排気口側部分に対向した第１案内板と、
該第１案内板よりも排気口側に配置されており、前記排気口に向けて傾斜した傾斜板部を有する第２案内板と
を含み、
前記放熱フィンの吸気口側部分は前記吸気口に向けて傾斜しており、
前記ファンの排気側部分全体が、前記放熱フィンの吸気口側部分の傾斜に対応した傾斜姿勢で前記放熱フィンの吸気口側部分全体に対向していること
を特徴とする液体サーバ。
【発明の詳細な説明】
【技術分野】
【０００１】
本技術は、水等の液体を供給する液体サーバに関する。
【背景技術】
【０００２】
従来、筐体と、筐体内に設けられており、飲料を収容する貯留部と、該貯留部の下面に取り付けられたペルチェ素子及び放熱フィンと、筐体の背面に設けられたファンとを備えるウォータサーバが提案されている（特許文献１参照）。ペルチェ素子、放熱フィン及びファンは横方向に並設されている。
【０００３】
また筐体の背面全体に通気口を備え、通気口に対向させて、ペルチェ素子、放熱フィン及びファンを上下に配設した液体導出機構が提案されている（特許文献２参照）。ウォータサーバ及び液体導出機構は、ファンの駆動によって発生した気流を放熱フィンに当てて、放熱フィンを冷却し、飲料を冷却している。
【先行技術文献】
【特許文献】
【０００４】
【特許文献１】特開２０１２−１８８１６３号公報
【特許文献２】特開２００４―１６２９８４号公報
【発明の概要】
【発明が解決しようとする課題】
【０００５】
しかし、特許文献１に記載のウォータサーバは、ペルチェ素子、放熱フィン及びファンが横向きに並設されているので、室内での専有面積が大きくなる。また特許文献２に記載の液体導出機構は、背面全体に通気口が設けられているので、気流が形成され難く、冷却効率の低下を招くおそれがある。
【０００６】
本実施例は斯かる事情に鑑みてなされたものであり、小型化及び冷却効率の向上を実現することができる液体サーバを提供することを目的とする。
【課題を解決するための手段】
【０００７】
本実施例に係る液体サーバは、筐体と、該筐体内に配置されており、液体を貯留する貯留部と、該貯留部に貯留された液体を冷却する冷却部と、該冷却部から熱を放出させる放熱フィンと、該放熱フィンに空気を送出するファンとを備える液体サーバにおいて、前記筐体に形成されており、上下に離間した吸気口及び排気口と、前記吸気口及び排気口の間に配置されており、前記吸気口から排気口へ空気を案内する案内部とを備え、前記冷却部及び放熱フィンは前記吸気口及び排気口の間に配置されており、前記ファンは、前記吸気口及び放熱フィンの間に配置され、前記放熱フィンに対向していることを特徴とする。
【０００８】
本実施例においては、上下に配置された吸気口及び排気口の間に、ファン、放熱フィン及び冷却部を上下に並設する。また空気を案内する案内部を設け、吸気口から排気口まで空気を整流する。
【０００９】
本実施例に係る液体サーバは、前記放熱フィンは上下に延びており、前記ファンは、前記放熱フィンの吸気口側部分に対向しており、前記案内部は、前記放熱フィンの排気口側部分に対向した第１案内板と、該第１案内板よりも排気口側に配置されており、前記排気口に向けて傾斜した傾斜板部を有する第２案内板とを含むことを特徴とする。
【００１０】
本実施例においては、ファンの駆動によって外部から冷気を取り込む。第１案内板を設けることによって、取り込んだ冷気が放熱フィン内を効率良く通過し、放熱フィンを効率良く冷却する。第２案内板を設けることによって、放熱フィンによって加熱された温気が排気口から効率良く排出され、吸気口から排気口まで空気が整流される。
【００１１】
本実施例に係る液体サーバは、前記放熱フィンの吸気口側部分は前記吸気口に向けて傾斜しており、前記ファンは、前記吸気口側部分の傾斜に対応した傾斜姿勢で前記吸気口側部分に対向していることを特徴とする。
【００１２】
本実施例においては、放熱フィンの吸気口側部分を吸気口に向けて傾斜させる。吸気口側部分の傾斜に対応した傾斜姿勢でファンは対向しているので、吸気口から放熱フィン内に効率良く、多量の冷気を流し易い。
【発明の効果】
【００１３】
本実施例に係る液体サーバにあっては、上下に配置された吸気口及び排気口の間に、ファン、放熱フィン及び冷却部を並設する。ファン、放熱フィン及び冷却部は上下に並設されるので、液体サーバの小型化を促進することができる。また空気を案内する案内部を設けることによって、吸気口から排気口まで空気を整流し、放熱フィンを効率良く冷却することができる。
【図面の簡単な説明】
【００１４】
【図１】液体サーバを略示する正面図
【図２】液体サーバを略示する平面図である。
【図３】図１に示すＩＩＩ―ＩＩＩ線を切断線とした断面図である。
【図４】冷却構造を略示する部分拡大斜視断面図である。
【発明を実施するための形態】
【００１５】
以下実施例に係る液体サーバを図面に基づいて説明する。以下の説明では、図に示す上下左右前後を使用する。図１は、液体サーバを略示する正面図、図２は、液体サーバを略示する平面図である。液体サーバは、平面視六角形状を有する縦長の筐体１と、該筐体１の上端部に設けられた上タンク２とを備える。
【００１６】
筐体１は、対向する二つの角部が前側及び後側にそれぞれ位置する。以下前側の角部を前角部１ａといい、後側の角部を後角部１ｂという。後角部１ｂの上下方向中途部には、後方に突出した突出部１ｃが設けられている。
【００１７】
前角部１ａには凹部３が形成されている。凹部３の上面には二つの給液口４、４が左右に並設されている。凹部３の底面には、コップ等の容器を載置する載置台が設けられている。二つの給液口４、４それぞれの上側に、前方に突出した二つのハンドル６、６が設けられている。一方のハンドル６を操作することによって、一方の給液口４から冷却された液体が供給され、他方のハンドル６を操作することによって、他方の給液口４から常温の液体が供給される。
【００１８】
図３は、図１に示すＩＩＩ―ＩＩＩ線を切断線とした断面図である。筐体１の内部には、縦長の収容室７が形成されている。収容室７には、口を上側にしてボトル８（貯留部）が収容されている。なおボトル８以外の貯留部を収容室７に収容してもよい。
【００１９】
ボトル８には、ボトル８内の液体を吸い上げる吸上管９が挿入されている。吸上管９は、ポンプ（図示略）に連結されている。吸上管９は、ポンプを介して一方の給液口４に連結されている。ポンプの駆動によって、ボトル８内の液体は一方の給液口４に送出される。
【００２０】
上タンク２には、常温の液体が供給される。上タンク２及び他方の供給口は通流経路を介して連結されている。上タンク２に供給された液体は、重力によって通流経路を通り、他方の給液口４に送出される。なお上タンク２に供給された液体を加熱するヒータを設けてもよい。この場合、ヒータによって加熱された液体が他方の給液口に送出される。
【００２１】
筐体１の後角部１ｂ及び突出部１ｃにボトル８を冷却する冷却構造１０が設けられている。図４は、冷却構造１０を略示する部分拡大斜視断面図である。
【００２２】
冷却構造１０は、上下に延びた伝熱板１１を備えており、該伝熱板１１は、収容室７の後面の一部を形成し、ボトル８に接触する。伝熱板１１の後面には、ペルチェ素子を有する冷却部１２が取り付けられている。
【００２３】
冷却部１２の後面には、放熱フィン１５が固定されている。放熱フィン１５は、上下に延びており、後方に突出した複数のフィン部１６を有する。複数のフィン部１６は、間隔を空けて左右に並んでいる。
【００２４】
冷却構造１０は、後角部１ｂの上端部に形成された排気口１９と、突出部１ｃに形成された吸気口１４とを備える。排気口１９は吸気口１４よりも上方に位置し、吸気口１４及び排気口１９は上下に離間している。
【００２５】
放熱フィン１５は上下に延びており、放熱フィン１５の上端部は排気口１９の下端部に対向し、放熱フィン１５の下端部は吸気口１４の下端部に対向する。以下、放熱フィン１５の上部を排気口側部分とも称し、下部を吸気口側部分とも称する。
【００２６】
吸気口側部分は吸気口１４に対向する。吸気口側部分は、フィン部１６の下側の突出幅が上側の突出幅よりも短くなるように傾斜している。換言すれば、吸気口側部分は、吸気口１４に向けて傾斜している。以下、排気口側部分を傾斜フィン部１６ａとも称する。一方、放熱フィン１５の排気口側部分は排気口１９に対向しない。以下、放熱フィン１５の排気口側部分を垂直フィン部１６ｂとも称する。
【００２７】
吸気口１４と傾斜フィン部１６ａとの間には、ファン１３が設けられている。ファン１３は、傾斜フィン部１６ａの傾斜角度と略同じ角度で傾斜している。またファン１３は、傾斜フィン部１６ａの傾斜面に略直角な回転軸を備える。換言すれば、ファン１３は、傾斜フィン部１６ａの傾斜に対応した傾斜姿勢で傾斜フィン部１６ａに対向している。
【００２８】
垂直フィン部１６ｂは、吸気口１４の上端部と排気口１９の下端部の間に位置し、筐体１の後角部１ｂに対向する。垂直フィン部１６ｂと後角部１ｂとの間には、第１案内板１７が設けられている。第１案内板１７は後角部１ｂに固定されている。第１案内板１７は上下に延びており、垂直フィン部１６ｂに近接対向している。
【００２９】
垂直フィン部１６ｂの上側には、第２案内板１８が設けられている。第２案内板１８は排気口１９に対向している。第２案内板１８は、上下に延びた垂直板部１８ａと、該垂直板部１８ａの上端部に連なる傾斜板部１８ｂとを備える。傾斜板部１８ｂの上側と排気口１９との間の前後寸法が傾斜板部１８ｂの下側と排気口１９との間の前後寸法よりも短くなるように、傾斜板部１８ｂは排気口１９に向けて傾斜している。
【００３０】
垂直板部１８ａは放熱フィン１５よりも前側に位置し、垂直板部１８ａの下端部は放熱フィン１５の上端部の前部分に当接している。排気口１９の上側において、後角部１ｂの上側から突起１ｄが前方に突出している。傾斜板部１８ｂの上端部は突起１ｄに当接している。
【００３１】
すなわち、突起１ｄ、第２案内板１８、放熱フィン１５の上部及び筐体１の後角部１ｂによって、閉じた空間が形成されており、この空間と外部とを連通させるように、排気口１９が設けられている。なお第１案内板１７及び第２案内板１８は案内部を構成する。
【００３２】
ファン１３の駆動によって、吸気口１４を経由して、放熱フィン１５に外部の空気（冷気）が送出される。ファン１３は、傾斜フィン部１６ａの傾斜に対応した傾斜姿勢で傾斜フィン部１６ａに対向しているので、多量の空気が放熱フィン１５のフィン部１６の間を効率良く流れる。そのため、放熱フィン１５の冷却効率を向上させることができる。
【００３３】
垂直フィン部１６ｂに至った空気は、第１案内板１７によって上方に案内される。第１案内板１７は放熱フィン１５から空気が発散することを防止しており、放熱フィン１５の冷却効率を向上させることができる。垂直フィン部１６ｂを通過した空気は、第２案内の垂直板部１８ａ及び傾斜板部１８ｂによって排気口１９まで案内され、排気口１９から外部に排出される。
【００３４】
第２案内板１８によって、放熱フィン１５から熱を奪った空気（温気）が効率良く外部に排出される。また放熱フィン１５の上側には、閉じた空間が形成されているので、温気が筐体１内に充満することを防止し、温気の排気効率を向上させることができる。
【００３５】
上述したように、冷却効率及び排気効率を向上させることによって、冷却構造１０全体の寸法を小さくすることができる。また冷却構造１０の各構成は、筐体１の後部にて、上下に並設されているので、液体サーバの室内での専有面積を削減することができる。
【００３６】
なお実施の形態では、排気口１９を吸気口１４よりも上側に配置しているが、排気口１９を吸気口１４よりも下側に配置してもよい。この場合、ファン１３、放熱フィン１５、第１案内板１７及び第２案内板１８の上下位置が逆になる。
【００３７】
実施の形態に係る液体サーバにあっては、上下に配置された吸気口１４及び排気口１９の間に、ファン１３、放熱フィン１５及び冷却部１２を並設する。ファン１３、放熱フィン１５及び冷却部１２は上下に並設されるので、液体サーバの小型化を促進することができる。また空気を案内する第１案内板１７及び第２案内板１８を設けることによって、吸気口１４から排気口１９まで空気を整流し、放熱フィン１５を効率良く冷却することができる。
【００３８】
またファン１３の駆動によって外部から冷気を取り込む。第１案内板１７を設けることによって、取り込んだ冷気が放熱フィン１５内を効率良く通過し、放熱フィン１５を効率良く冷却する。第２案内板１８を設けることによって、放熱フィン１５によって加熱された温気が排気口１９から効率良く排出され、吸気口１４から排気口１９まで空気が整流される。
【００３９】
放熱フィン１５の吸気口１４側部分を吸気口１４に向けて傾斜させている。吸気口１４側部分の傾斜に対応した傾斜姿勢でファン１３は対向しているので、吸気口１４から放熱フィン１５内に効率良く、多量の冷気を流し易くなる。
【００４０】
またペルチェ素子によって、液体の冷却を実行する。貯留部をボトル８にすることによって、一般に販売されているボトル８を冷却することができ、ユーザの利便性が向上する。
【００４１】
今回開示した実施の形態は、全ての点で例示であって、制限的なものではないと考えられるべきである。各実施例にて記載されている技術的特徴は互いに組み合わせることができ、本実施例の範囲は、特許請求の範囲内での全ての変更及び特許請求の範囲と均等の範囲が含まれることが意図される。
【符号の説明】
【００４２】
１  筐体
８  ボトル（貯留部）
１０  冷却構造
１２  冷却部
１３  ファン
１４  吸気口
１５  放熱フィン
１７  第１案内板（案内部）
１８  第２案内板（案内部）
１８ａ  垂直板部
１８ｂ  傾斜板部
１９  排気口
【図１】
0006633397.tif 000002
【図２】
0006633397.tif 000003
【図３】
0006633397.tif 000004
【図４】
0006633397.tif 000005